(57)【特許請求の範囲】
【請求項１】
略円筒状の容器入り飲料を複数収納可能な容器本体と、この容器本体の内底部と連通する開口部と、この開口部に回動可能に設けられた扉体と、この扉体に設けられて容器本体内の容器入り飲料を一本収容する凹部と、前記扉体を回動軸回りに回動させるための扉体開閉機構よりなり、前記扉体開閉機構を、電動機と、歯車群と、スイッチとで構成し、前記スイッチの操作により前記電動機に電力を供給し、前記扉体が開放すると前記電動機への電力供給を停止するように制御する制御回路を設けると共に、前記扉体の開放状態で凹部に収容された容器入り飲料を取り去ることで扉体を閉じる閉扉手段を設け、前記容器本体に、温度制御手段と、この温度制御手段及び前記電動機に電力を供給する電源回路を設けると共に、前記電動機を駆動する際に温度制御手段への電力供給を停止する過電流防止手段を前記制御回路に設けたことを特徴とする貯蔵庫。
【請求項２】
略円筒状の容器入り飲料を複数収納可能な容器本体と、この容器本体の内底部と連通する開口部と、この開口部に回動可能に設けられた扉体と、この扉体に設けられて容器本体内の容器入り飲料を一本収容する凹部と、前記扉体を回動軸回りに回動させるための扉体開閉機構よりなり、前記扉体開閉機構を、電動機と、歯車群と、スイッチとで構成し、前記スイッチの操作により前記電動機に電力を供給し、前記扉体が開放すると前記電動機への電力供給を停止するように制御する制御回路を設けると共に、前記扉体の開放状態で凹部に収容された容器入り飲料を取り去ることで扉体を閉じる閉扉手段を設ける貯蔵庫であって、前記歯車群には噛合した状態では前記扉体を回動して開放する扇状歯車が介在し、前記閉扉手段として前記扉体を閉方向に付勢するバネが取り付けられていることを特徴とする貯蔵庫。
【発明の詳細な説明】
【０００１】
【発明の属する技術分野】
本発明は貯蔵庫に関するものであり、特に内部に収容された略円筒状の容器入り飲料を一本ずつ取り出すための機構に関するものである。
【０００２】
【発明が解決しようとする課題】
従来、貯蔵庫に収容された略円筒状の缶又は瓶等の容器入り飲料を取り出す場合、貯蔵庫の蓋体を開いた後、貯蔵庫内に手を入れて容器入り飲料を取り出していた。例えば、冷蔵庫や温蔵庫、自動販売機等から缶飲料を取り出す場合がこれに該当する。
【０００３】
しかしながら、このように冷却された貯蔵庫内の容器入り飲料を取り出すために開蓋する場合、貯蔵庫内の冷気が外部に漏れると共に貯蔵庫外の熱気が貯蔵庫内に入り込むことになり、取り出されなかった容器入り飲料を温めてしまうばかりでなく、温度が上昇してしまった貯蔵庫内及び容器入り飲料を再び所定の温度に冷却するために電力を余分に消費するという問題があった。同様に、加温された貯蔵庫内の容器入り飲料を取り出すために開蓋する場合も、貯蔵庫内の熱気が外部に漏れると共に貯蔵庫外の冷気が貯蔵庫内に入り込むことになり、取り出されなかった容器入り飲料を冷やしてしまうばかりでなく、温度が下降した貯蔵庫内及び容器入り飲料を再び所定の温度に加温するために電力を余分に消費するという問題があった。なお、これらの問題は、加熱又は冷却のための機構を有さない貯蔵庫であっても同様である。
【０００４】
一方、実用新案登録第３０７４８１５号等に記載されているような貯蔵庫も知られている。これは、ボックス本体（容器本体）に、保冷品（容器入り飲料）を一個ずつ保持して取り出すことができるような繰出し機構（扉体）を設けたものであり、更に、ボックス本体内を保冷するペルチェ素子（温度制御手段）を設けたものである。そして、このように構成することにより、繰出し機構を用いてボックス本体内の保冷品を取り出しても、ボックス本体内外の空気が殆ど流通せず、ボックス本体内の温度がほぼ一定に保たれることになる。
【０００５】
しかしながら、このような構造においては、ハンドルの操作に連動して扉体が開閉し、容器入り飲料を取り出す構造であるため、ハンドルを倒して扉体を開き、ハンドルを倒したままで容器入り飲料を取り出し、ハンドルを起こして扉体を閉じることになり、両手で多くの操作をして容器入り飲料を取り出す必要があった。また、扉体の閉時に容器入り飲料が正しく扉体に保持されなかった場合や、扉体の開時に異物が引っかかってしまった場合など、扉体が開閉しなくなってしまい、扉体を無理に開閉しようとした場合、容器本体や扉体、歯車群等を破損してしまう虞があった。更に、上記問題を解決するために、電動機等によって扉体を開閉するような構成にした場合、扉体開閉時に温度制御手段と電動機にそれぞれ電力を供給しなければならず、電力を多く消費してしまうという問題があった。
【０００６】
本発明は以上の問題点を解決し、最小限の操作で貯蔵庫内に収容された容器入り飲料を取り出すことができる貯蔵庫を提供することを目的とする。また、容器入り飲料や異物が引っかかった場合でも、容器本体や扉体、歯車群等の破損を防止できる貯蔵庫を提供することを目的とする。更に、消費電力を低く抑えることができる貯蔵庫を提供することを目的とする。
【０００７】
【課題を解決するための手段】
本発明の請求項１の貯蔵庫は、略円筒状の容器入り飲料を複数収納可能な容器本体と、この容器本体の内底部と連通する開口部と、この開口部に回動可能に設けられた扉体と、この扉体に設けられて容器本体内の容器入り飲料を一本収容する凹部と、前記扉体を回動軸回りに回動させるための扉体開閉機構よりなり、前記扉体開閉機構を、電動機と、歯車群と、スイッチとで構成し、前記スイッチの操作により前記電動機に電力を供給し、前記扉体が開放すると前記電動機への電力供給を停止するように制御する制御回路を設けると共に、前記扉体の開放状態で凹部に収容された容器入り飲料を取り去ることで扉体を閉じる閉扉手段を設け、前記容器本体に、温度制御手段と、この温度制御手段及び前記電動機に電力を供給する電源回路を設けると共に、前記電動機を駆動する際に温度制御手段への電力供給を停止する過電流防止手段を前記制御回路に設けたものである。
【０００８】
請求項１の構成により、スイッチを操作することによって制御回路が扉体開閉機構の電動機を駆動し、歯車群を介して扉体を開放方向に動作させ、扉体が完全に開くと、前記制御回路が電動機の駆動を停止させる。そして、前記扉体の凹部に収まった容器入り飲料を取り去ると、閉扉手段によって扉体が戻され、開口部が完全に閉じられる。また、容器本体内に容器入り飲料を貯蔵している状態では、前記電源回路によって温度制御装置に電力を供給する一方、容器本体内の容器入り飲料を取り出すためにスイッチを操作すると、前記制御回路内の過電流防止手段によって温度制御装置への電力供給が遮断されると共に電動機への電力供給が開始され、扉体が開かれる。
【０００９】
また、本発明の請求項２の貯蔵庫は、略円筒状の容器入り飲料を複数収納可能な容器本体と、この容器本体の内底部と連通する開口部と、この開口部に回動可能に設けられた扉体と、この扉体に設けられて容器本体内の容器入り飲料を一本収容する凹部と、前記扉体を回動軸回りに回動させるための扉体開閉機構よりなり、前記扉体開閉機構を、電動機と、歯車群と、スイッチとで構成し、前記スイッチの操作により前記電動機に電力を供給し、前記扉体が開放すると前記電動機への電力供給を停止するように制御する制御回路を設けると共に、前記扉体の開放状態で凹部に収容された容器入り飲料を取り去ることで扉体を閉じる閉扉手段を設ける貯蔵庫であって、前記歯車群には噛合した状態では前記扉体を回動して開放する扇状歯車が介在し、前記閉扉手段として前記扉体を閉方向に付勢するバネが取り付けられているものである。
【００１０】
請求項２の構成により、扇状歯車が噛合した状態で、前記扉体は回動して完全に開放され、そして、容器入り飲料を取り去ることで、バネ の付勢力によって自動的に閉扉する。
【００１１】
【発明の実施形態】
以下、本発明の実施形態について、図１乃至図７に基づいて説明する。１は縦長箱状に形成された容器本体である。この容器本体１は、外容器２と、内容器３と、前記外容器２と内容器３の間に充填された断熱層４とで構成されている。そして、前記内容器３の底部は、容器本体１の前方側ほど低くなる緩やかな斜面３ａに形成されていると共に、この斜面３ａの前方には下方に凹んだ凹部３ｂが形成されている。また、容器本体１の上部には開口部５が形成されていると共に、容器本体１の正面部にも、前記内容器３の内底部と連通する開口部６が形成されている。また、この開口部６の上縁には、段差部６ａが形成されている。更に、前記内容器３内で且つ前記開口部６の上縁近傍に、容器本体１の後方側ほど低い斜面に形成されたガイド板７が設けられている。そして、前記開口部５には、内部に断熱層８を有する蓋体９が開閉自在に取り付けられている。また、前記開口部６には、内部に断熱層１０を有する扉体１１が、水平方向に形成された回動軸１２によって回動可能に取り付けられている。そして、前記回動軸１２の一端には、従動歯車１３が取り付けられていると共に、回動軸１２の他端には、扉体１１を閉方向に付勢する閉扉手段たるねじりコイルバネ１４が取り付けられている。そして、前記扉体１１は、扉体開閉機構１５によって開閉可能とされている。
【００１２】
また、前記内容器３の後方外側から下方外側にかけて通風路１６が形成されている。この通風路１６の上端近傍の内容器３の壁には吸気口１７が形成されていると共に、通風路１６の下端近傍の内容器３の斜面３ａには排気口１８が形成されている。そして、内容器３内の空気が吸気口１７から吸引されて排気口１８から内容器３内に排出されるように、前記通風路１６内に内部ファン１９が設けられている。更に、前記容器本体１の内部下方には温度制御装置２０が設けられていると共に、この温度制御装置２０の内部熱交換部２１は、前記通風路１６内に露出している。また、前記温度制御装置２０の外部熱交換部２２には、外部ファン２３が対向して設けられている。なお、前記温度制御装置２０としては、ペルチェ効果を有するサーモモジュールを用いたものを例示しているが、これ以外のもの、例えばコンプレッサー式冷凍機等の冷凍機、又はヒータ等の加温機を用いてもよい。また、２４は温度制御装置２０を制御するための制御回路、２５は後述する電動機３１を駆動して扉体１１を開くためのタッチパネル等のスイッチである。
【００１３】
前記扉体１１について詳述する。扉体１１は、閉扉時に前記開口部６を閉塞する扉部２６と、開扉時に前記開口部６をほぼ閉塞する突出部２７と、これら扉部２６と突出部２７との間に形成された第一の凹部２８及び第二の凹部２９と、前記突出部２７と連続して形成され閉扉時に前記凹部３ｂに収容されると共に開扉時に前記斜面３ａの前方に突出する転落阻止部３０とで構成されている。そして、前記扉体１１は、その扉部２６の正面２６ａがほぼ水平となる位置まで前記回動軸１２を中心に回動可能となるように、前記容器本体１に取り付けられている。また、前記扉部２６の先端には段差部２６ｂが形成されており、閉扉時にこの段差部２６ｂが前記段差部６ａと当接するように構成されている。また、前記突出部２７は、その先端から前記回動軸１２までの距離が、前記開口部６の上縁から回動軸１２までの距離よりも僅かに短く形成されていると共に、前記突出部２７には、閉扉時に縁部が前記斜面３ａとほぼ連続するリブ２７ａが形成されている。また、前記第一の凹部２８は、内容器３内に収容される容器入り飲料たる缶Ｃの周面とほぼ一致するような凹曲面に形成されていると共に、閉蓋時に前記缶Ｃが入り込むように構成されている。更に、前記第二の凹部２９は、前記第一の凹部２８よりも扉部２６の先端寄りとなる位置に、第一の凹部２８と同様に缶Ｃの周面とほぼ一致するような凹曲面に形成されて、開扉時に前記缶Ｃが入り込むように構成されていると共に、開扉時に前方側が高くなるように凸部２９ａが形成されている。
【００１４】
次に、扉体開閉機構１５について図２乃至図４に基づいて詳述する。扉体開閉機構１５は、スイッチ２５と、電動機３１と、歯車群３２とで構成されている。前記歯車群３２は、電動機３１側の第一フレーム３３に設けられた第一歯車群３４と、扉体１１側の第二フレーム３５に設けられた第二歯車群３６とで構成されている。前記第一歯車群３４は、電動機３１のシャフト３１ａに取り付けられた駆動歯車３７と、第一フレーム３３に設けられた軸３８に取り付けられて前記駆動歯車３７と噛合する第一伝達歯車３９と、この第一伝達歯車３９と同軸状に設けられた第二伝達歯車４０と、前記第一伝達歯車３９と第二伝達歯車４０の間に設けられた過負荷保護機構たる空転機構４１とで構成されている。前記第一伝達歯車３９の一面側中央部には、円形の凹部３９ａが同軸状に形成されており、この凹部３９ａの一部に係合凹部３９ｂが形成されていると共に、第一伝達歯車３９の一面側外周部には、扇形の検出凹部３９ｃが形成されている。また、前記第二伝達歯車４０は軸３８に遊嵌していると共に、約２／３周にわたって歯が形成されている。更に、前記第一伝達歯車３９と第二伝達歯車４０の間には、係合カム４２が取り付けられており、この係合カム４２と第二伝達歯車４０との間にコイルバネ４３が設けられ、このコイルバネ４３によって係合カム４２が遠心方向に付勢されている。なお、この係合カム４２は、通常時に前記係合凹部３９ｂと係合している。そして、これら係合凹部３９ｂ、係合カム４２及びコイルバネ４３によって、前記空転機構４１が構成されている。また、前記第一フレーム３３には、第一伝達歯車３９の一面側外周部に当接するスイッチ４４が設けられており、前記電動機３１の停止時には、スイッチ４４が検出凹部３９ｃに当接している。
【００１５】
前記第二歯車群３６は、第二フレーム３５に設けられた第一の軸４６に取り付けられた扇状歯車４７、カム４８及び第三伝達歯車４９と、第二フレーム３５に設けられた第二の軸５０に取り付けられた第四伝達歯車５１とで構成されている。前記扇状歯車４７は、第二伝達歯車４０と噛合し、第一の軸４６に固着されており、補強プレート４７ａによって補強されていると共に、電動機３１の停止時には図３に示す位置にあり、当接部４７ｂが第二フレーム３５の当接部３５ａと当接している。また、前記カム４８は、第一の軸４６に固着されており、図４に示すように、大径部４８ａと小径部４８ｂを周方向に一体に形成しており、前記大径部４８ａが約１４５度の角度範囲に、小径部４８ｂが約２１５度の角度範囲に形成されている。そして、前記大径部４８ａと小径部４８ｂの境目には、カム４８の回動方向と直交して当接部４８ｃが設けられている。また、前記第三伝達歯車４９は、第一の軸４６に対して遊嵌しており、前記カム４８を収容するカム受け部４９ａが形成されている。このカム受け部４９ａは、前記大径部４８ａより僅かに径大な大径部４９ｂと、前記小径部４８ｂよりも僅かに径大な小径部４９ｃとで構成されており、前記大径部４９ｂは約１９０度の角度範囲に、前記小径部４９ｃは約１７０度の角度範囲に形成されている。そして、大径部４９ｂと小径部４９ｃの境目には、第三伝達歯車４９の回動方向と直交して受部４９ｄが設けられている。そして、前記カム４８の当接部４８ｃは、第三伝達歯車４９のカム受け部４９ａの受部４９ｄと当接可能に構成されている。また、前記扇状歯車４７及びカム４８は、両端がそれぞれ前記第二フレーム３５及びカム４８に取り付けられたねじりコイルバネ５２によって右回り方向に付勢されている。そして、前記第四伝達歯車５１は、第三伝達歯車４９と噛合している。更に、前記第四伝達歯車５１は、前記従動歯車１３と噛合している。
【００１６】
次に、電気的な回路について図５に基づいて説明する。前記制御回路２４は、過電流防止手段を含む主制御回路５３と、前記温度制御装置２０及び内部ファン１９、外部ファン２３を駆動するための温度制御装置駆動回路５４と、前記電動機３１を駆動するための電動機駆動回路５５と、前記スイッチ２５の操作を検出するためのスイッチ検出回路５６とで構成されている。前記主制御回路５３は、前記スイッチ４４からの信号を受けて前記温度制御装置駆動回路５４と電動機駆動回路５５を制御するように構成されていると共に、内容器３内の温度を検出する温度センサ５７からの信号によって温度制御装置駆動回路５４を制御するように構成されている。なお、５８は制御回路２４及び内部ファン１９、温度制御回路２０、外部ファン２３、電動機３１に電力を供給するための電源回路である。
【００１７】
次に、本実施形態の作用について説明する。まず、蓋体９及び扉体１１が閉じられた状態で、図示しない電源プラグをコンセントに差し込み、電源回路５８によって温度制御装置駆動回路５４を含む制御回路２４に電力を供給することで、温度制御装置２０を作動させて通風路１６に露出する内部熱交換部２１を冷却または加熱する。なお、扉体１１が閉じられている状態では、開口部６の段差部６ａに扉部２６の段差部２６ｂが当接することで、開口部６が閉塞されている。同時に、内部ファン１９が駆動され、この内部ファン１９によって内容器３内の空気が吸気口１７から吸入され、この吸入された空気が温度制御装置２０によって冷却又は加熱されると共に、排気口１８から内容器３内に戻されようにして、内容器３内が冷却又は加熱される。なお、容器本体１、蓋体９及び扉体１１には断熱層４，８，１０が設けられているので、内容器３内と外容器２外の間で熱の出入りが抑制される。そして、蓋体９を開き、容器本体１の内容器３内に入り得る任意の本数の缶Ｃを収容した後、蓋体９を再び閉じ、缶Ｃを冷却又は加温する。そしてこの時、内容器３内に収容された缶Ｃのうち最底部にある缶Ｃ１は、斜面３ａからリブ２７ａを転がって、第一の凹部２８に入り込んで停止すると共に、缶Ｃ１の隣の缶Ｃ２は、斜面３ａ上で缶Ｃ１に接して停止する。また、缶Ｃ１及びＣ２の上方に位置する缶Ｃは、ガイド板７上に乗っている。なお、前記内容器３内は、温度センサ５７からの信号に基づいて主制御回路５３が温度制御装置駆動回路５４に信号を送ることで温度制御装置２０が制御され、これによって温度が制御される。
【００１８】
容器本体１内から缶Ｃを取り出す場合、スイッチ２５を操作することで電動機３１が駆動され、歯車群３２によって回転が伝達され、更にこの歯車群３２から従動歯車１３に回転が伝達されることで、扉体１１が回動軸１２回りに回動することになる。詳述すると、初期状態において扉体開閉機構１５は、図３に示すように、前記扇状歯車４７が下がった状態であると共に、前記カム４８の当接部４８ｃが第三伝達歯車４９の受部４９ｄに当接した状態となっている。この時、扇状歯車４７と噛合する第二伝達歯車４０は、約２／３周にわたって歯が形成され、残りの約１／３周には歯が形成されていないが、初期状態において歯が形成されていない部分が扇状歯車４７側に位置し、扇状歯車４７と第二伝達歯車４０とは噛合していない。そして、前記スイッチ２５を操作すると、この操作をスイッチ検出回路５６が検出して主制御回路５３に信号を送り、この信号を受けた主制御回路５３が電動機駆動回路５５に信号を送ることで、電動機３１が駆動され、この電動機３１のシャフト３１ａに取り付けられた駆動歯車３７が左回りに回転し、この駆動歯車３７と噛合している第一伝達歯車３９と、この第一伝達歯車３９と空転機構４１を介して結合された第二伝達歯車４０が右回りに回転する。同時に、第一伝達歯車３９の外周部の一面側に当接しているスイッチ４４が閉じることになる。そして、まず、第二伝達歯車４０が回転するが、初期状態においては第二伝達歯車４０の歯が形成されていない部分が扇状歯車４７側に位置することから、第二伝達歯車４０は、歯が形成されている部分が扇状歯車４７と噛合するまでのほぼ１／３周回転しても、従動側である扇状歯車４７は回転しない。第二伝達歯車４０が初期状態からほぼ１／３周回転することで第二伝達歯車４０と扇状歯車４７とが噛合し、これら扇状歯車４７及びカム４８が左回りに回転すると共に、このカム４８の当接部４８ｃを受部４９ｄで受けている第三伝達歯車４９も、カム４８に従動して左回りに回転する。更に、前記第三伝達歯車４９と噛合している第四伝達歯車５１が右回りに回転すると共に、この第四伝達歯車５１と噛合している従動歯車１３が左回りに回転することで、この従動歯車１３が取り付けられた回転軸１２回りに扉体１１が開くことになる。なお、前記カム４８が左回りに回転することで、前記ねじりコイルバネ５２が反付勢方向に圧縮されると共に、前記扉体１１が開くことで、前記ねじりコイルバネ１４が反付勢方向に圧縮されることになる。
【００１９】
そして、第二伝達歯車４０と扇状歯車４７とが噛合した状態で第二伝達歯車４０が約２／３周回転した段階、すなわち、第二伝達歯車４０が一回転することで、前記扉体１１は約９０度回動して完全に開放されるとともに、前記第二伝達歯車４０は一回転して初期位置まで回転することで、再び第二伝達歯車４０の歯が形成されていない部分が扇状歯車４７側に位置するため、第二伝達歯車４０と扇状歯車４７の噛合が解かれることになる。そして、前記扇状歯車４７とカム４８はねじりコイルバネ５２によって右回り方向に付勢されているため、第二伝達歯車４０と扇状歯車４７の噛合が解かれることで、これら扇状歯車４７とカム４８が右回りに回転し、この扇状歯車４７の当接部４７ｂが第二フレーム３５の当接部３５ａと当接して停止する。なお、この状態において、前記カム４８は第三伝達歯車４９のカム受け部４９ａ内を移動し、カム４８の当接部４８ｃがカム受け部４９ａの受部４９ｄから離れることになる。一方、扉体１１が開放されると、第一の凹部２８にある缶Ｃ１が容器本体１外に露出すると共に、重力及び扉体１１の回動による遠心力によって、缶Ｃ１が第二の凹部２９に移動する。なお、遠心力によって缶Ｃ１が第二の凹部２９よりも更に正面側に飛び出そうとするが、扉体１１の開放時に第二の凹部２９の正面側となる位置に凸部２９ａが形成されているため、缶Ｃ１が第二の凹部２９から正面方向へ移動することが妨げられる。そして、缶Ｃが回動軸１２（即ち支点）から離れた第二の凹部２９上に位置することで、梃子の原理によって、この缶Ｃ及び扉体１１の扉部２６の重量がねじりコイルバネ１４の付勢力に勝っていることになり、扉体１１は開蓋状態を維持し、第三伝達歯車４９、第四伝達歯車５１及び従動歯車１３は静止する。また、電動機３１が回転することで第一伝達歯車３９が１回転すると、スイッチ４４が第一伝達歯車３９の検出凹部３９ｃに入り込み、これによって、スイッチ４４が開かれる。そして、このスイッチ４４が開かれたことを主制御回路５３が検出すると、電動機駆動回路５５に信号を送り、電動機３１の回転を停止させる。また、前記第一伝達歯車３９と連動して第二伝達歯車４０が１回転すると、この第二伝達歯車４０は、歯が形成されていない部分が扇状歯車４７側に位置して停止する。
【００２０】
そして、扉体１１の開放後には、突出部２７が開口部６の上縁と近接して開口部６をほぼ閉塞するので、外容器２外部の空気が開口部６から内容器３内部に入り込むことが防止されると共に、内容器３内部の空気が外容器２外部に漏れることも防止される。これによって、内容器３内で冷やされている缶Ｃが温まってしまうこと、又は内容器３内で温められている缶Ｃが冷やされてしまうことが防止される。即ち、扉体１１の開放によって缶Ｃの温度が変動し、これを元に戻すために余分な電力を消費してしまうということが防止される。なお、缶Ｃ１を取り出すために扉体１１を開放する際、凹部３ｂに収容されていた転落阻止部３０が斜面３ａの正面側に突出し、この転落阻止部３０に缶Ｃ２が当接することによって、缶Ｃ２が最初の位置から下方に転落することが防止される。
【００２１】
なお、扉体１１を開放するためにスイッチ２５を操作したことをスイッチ検出回路５６が検出すると、主制御回路５３に信号を送り、この信号に基づいて主制御回路５３は、前述したように電動機駆動回路５５に信号を送って電動機３１を駆動させると同時に、温度制御装置駆動回路５４に信号を送り、内部ファン１９及び温度制御装置２０を停止させる。このとき、前述したとおり突出部２７が開口部６の上縁と近接して開口部６をほぼ閉塞し、容器本体１内外の空気が開口部６を経て流通することが防止されているので、温度制御装置２０を停止したとしても、内容器３内の温度、ひいては缶Ｃの温度は殆ど変化しないばかりでなく、扉体１１を開くために電動機３１を駆動しても、大電力が消費されることが防止される。なお、内容器３内を冷却している状態から温度制御装置２０を停止させた場合、外部熱交換部材２２が熱くなっており、温度制御装置２０を停止させることで外部熱交換部材２２から内部熱交換部材２１へ熱が逆流する虞があるため、外部ファン２３を停止させずに駆動させ続け、外部熱交換部材２２の有する熱を放熱させる。また、外部熱交換部材２２から内部熱交換部材２１へ多少熱が逆流しても、内部ファン１９が停止しているので、通風路１６内の内部熱交換部材２１周辺の温度が多少上昇する程度となり、内容器３内の缶Ｃの温度は殆ど変動しない。
【００２２】
また、扉体１１の前に物が置かれていたり、缶Ｃが内容器３と第一の凹部２８の間で引っかかっていたりすることで、歯車群３２に過負荷がかかった場合、空転機構４１が作動して第一伝達歯車３９が第二伝達歯車４０に対して空転する。即ち、扉体１１が動かない状態では、従動歯車１３、第四伝達歯車５１、第三伝達歯車４９、カム４８、扇状歯車４７がロックした状態となる。この状態で電動機３１を駆動すると、駆動歯車３７、第一伝達歯車３９及び第二伝達歯車４０が回転するが、この第二伝達歯車４０が１／３周回転したところで扇状歯車４７と噛合して停止し、空転機構４１の係合カム４２がコイルバネ４３の付勢力に抗して求心方向に移動することで、係合凹部３９ｂと係合カム４２の係合が解かれることになり、第一伝達歯車３９と第二伝達歯車４０の結合が解除される。そして、第一伝達歯車３９が一回転した段階で、前述したとおりスイッチ４４が開き、これによって電動機３１が停止する。
【００２３】
最後に、缶Ｃを第二の凹部２９から取り去る。この際、缶Ｃが奥側の第一の凹部２８から正面側の第二の凹部２９に移動しているため、取り出しやすい。また、缶Ｃの重量が消失することで、ねじりコイルバネ１４の付勢力が扉体１１の扉部２６の重量に勝ることになるため、ねじりコイルバネ１４の付勢力によって、回動軸１２を中心として、扉体１１が閉じる方向に回動して閉扉される。即ち、缶Ｃを取り去ると、ねじりコイルバネ１４の付勢力によって自動的に閉扉することになるため、缶Ｃの一連の取り出し操作を片手で行うことが可能である。また、缶Ｃを第二の凹部２９から取り去らない限り扉体１１が閉じないため、この扉体１１によって使用者が手を挟んでしまう虞を少なくできる。また、ねじりコイルバネ１４の付勢力は缶Ｃを第二の凹部２９から取り去ることで扉体１１の重量に勝ることができる程度の力であるため、仮に缶Ｃを取り去っているときに扉体１１が使用者の手にぶつかってしまったとしても、怪我をする虞がない。更に、扉体１１上に缶以外の物体が乗って開口部６と扉体１１の間に挟まったり、扉体１１が押さえられていたとしても、扉体１１はねじりコイルバネ１４の付勢力のみによって閉じるものであるため、無理に扉体１１が閉じられることもなく、扉体開閉機構１５が破損してしまう虞を一掃できる。そして、扉体１１が閉じると、転落阻止部３０が凹部３ｂに収容されることで缶Ｃ２と転落阻止部３０の当接が解除される。これによって、缶Ｃ２は斜面３ａ及びリブ２７ａを転がって第一の凹部２８に入り込む。同時に、缶Ｃ２の後方に隣接していた缶Ｃ３は缶Ｃ２があった位置まで移動すると共に、缶Ｃ３の上方に隣接していた缶Ｃ４も缶Ｃ３があった位置まで移動する。以下同様に、缶Ｃが動いた位置を埋めるように他の缶Ｃが移動することになる。
【００２４】
以上のように本発明は、容器本体１内から容器入り飲料たる缶Ｃを取り出す際、スイッチ２５を操作することで制御回路２４によって扉体開閉機構１５の電動機３１を駆動し、歯車群３２を介して扉体１１を開放方向に回転動作させ、そして、扉体１１が完全に開くと制御回路２４が電動機３１の駆動を停止させ、そして、前記扉体１１の第二の凹部２９に収まった缶Ｃを取り去ると、閉扉手段たるねじりコイルバネ１４によって扉体１１が戻され、開口部６が完全に閉じられる。即ち、缶Ｃを取り去ると、ねじりコイルバネ１４の付勢力によって自動的に閉扉することになるため、最初にスイッチ２５を操作するという操作だけで扉体１１を開閉でき、従って片手だけで容器本体１内の缶Ｃを取り出し、扉体１１を閉じることができ、これら缶Ｃの一連の取り出し操作を片手で簡単に行うことが可能である。また、缶Ｃを第二の凹部２９から取り去らない限り扉体１１が閉じないため、この扉体１１によって使用者が手を挟んでしまう虞を少なくできる。また、ねじりコイルバネ１４の付勢力は缶Ｃを第二の凹部２９から取り去ることで扉体１１の重量に勝ることができる程度の力であるため、仮に缶Ｃを取り去っているときに扉体１１が使用者の手にぶつかってしまったとしても、怪我をする虞がない。
【００２５】
また、扉体１１の前に物が置かれていたり、缶Ｃが内容器３と第一の凹部２８の間で引っかかっていたりすることで、歯車群３２に過負荷がかかった場合、過負荷保護機構たる空転機構４１が作動して第一伝達歯車３９が第二伝達歯車４０に対して空転し、扉体１１が開かないので、無理に扉体１１を開こうとすることによる容器本体１、扉体１１、歯車群３２の破損を防止できる。
【００２６】
さらに、容器本体１内に缶Ｃを貯蔵している状態では、電源回路５８によって温度制御装置２０に電力を供給する一方、容器本体１内の缶Ｃを取り出すためにスイッチ２５を操作すると、前記制御回路２４内の過電流防止手段を含む主制御回路５３によって温度制御装置２０への電力供給が遮断されると共に電動機３１への電力供給が開始され、扉体１１が開かれるので、必要以上の電力の消費を抑えることができる。
【００２７】
なお、本発明は以上の実施の形態に限定されるものではなく、発明の要旨の範囲内で種々の変形が可能である。例えば、上記実施形態においてはねじりコイルバネの付勢力によって扉体を閉じているが、電動機を逆回転させることで閉じるようにしてもよい。
【００２８】
【発明の効果】
本発明の請求項１の貯蔵庫によれば、略円筒状の容器入り飲料を複数収納可能な容器本体と、この容器本体の内底部と連通する開口部と、この開口部に回動可能に設けられた扉体と、この扉体に設けられて容器本体内の容器入り飲料を一本収容する凹部と、前記扉体を回動軸回りに回動させるための扉体開閉機構よりなり、前記扉体開閉機構を、電動機と、歯車群と、スイッチとで構成し、前記スイッチの操作により前記電動機に電力を供給し、前記扉体が開放すると前記電動機への電力供給を停止するように制御する制御回路を設けると共に、前記扉体の開放状態で凹部に収容された容器入り飲料を取り去ることで扉体を閉じる閉扉手段を設け、前記容器本体に、温度制御手段と、この温度制御手段及び前記電動機に電力を供給する電源回路を設けると共に、前記電動機を駆動する際に温度制御手段への電力供給を停止する過電流防止手段を前記制御回路に設けたものであるから、スイッチを操作することによって制御回路が扉体開閉機構の電動機を駆動し、歯車群を介して扉体を開放方向に動作させ、扉体が完全に開くと、前記制御回路が電動機の駆動を停止させ、そして、前記扉体の凹部に収まった容器入り飲料を取り去ると、閉扉手段によって扉体が戻され、開口部が完全に閉じられるので、最初にスイッチを操作するという操作だけで扉体を開閉でき、従って片手だけで容器本体内の容器入り飲料を取り出し、扉体を閉じることができる。さらに、容器本体内に容器入り飲料を貯蔵している状態では、前記電源回路によって温度制御装置に電力を供給する一方、容器本体内の容器入り飲料を取り出すためにスイッチを操作すると、前記制御回路内の過電流防止手段によって温度制御装置への電力供給が遮断されると共に電動機への電力供給が開始され、扉体が開かれるので、必要以上の電力の消費を抑えることができ、小型の電源回路を用いて消費電力の大きな温度制御装置及び電動機を駆動することが可能となるため、装置全体を安価に構成することができる。
【００２９】
また、本発明の請求項２の貯蔵庫によれば、略円筒状の容器入り飲料を複数収納可能な容器本体と、この容器本体の内底部と連通する開口部と、この開口部に回動可能に設けられた扉体と、この扉体に設けられて容器本体内の容器入り飲料を一本収容する凹部と、前記扉体を回動軸回りに回動させるための扉体開閉機構よりなり、前記扉体開閉機構を、電動機と、歯車群と、スイッチとで構成し、前記スイッチの操作により前記電動機に電力を供給し、前記扉体が開放すると前記電動機への電力供給を停止するように制御する制御回路を設けると共に、前記扉体の開放状態で凹部に収容された容器入り飲料を取り去ることで扉体を閉じる閉扉手段を設ける貯蔵庫であって、前記歯車群には噛合した状態では前記扉体を回動して開放する扇状歯車が介在し、前記閉扉手段として前記扉体を閉方向に付勢するバネが取り付けられていることにより、扇状歯車が噛合した状態で、前記扉体は回動して完全に開放され、そしてねじりコイルバネの付勢力によって自動的に閉扉することができる。
【図面の簡単な説明】
【図１】  本発明の実施例を示す貯蔵庫の断面図である。
【図２】  同上扉体開閉機構を示す正面図であり、扉体を開いた状態を示している。
【図３】  同上扉体開閉機構を示す正面図であり、扉体を閉じた状態を示している。
【図４】  同上扉体開閉機構における第二歯車群を示す正面図である。
【図５】  同上制御回路のブロック図である。
【図６】  同上貯蔵庫の断面図であり、扉体を開いた状態を示している。
【図７】  同上貯蔵庫の正面図である。
【符号の説明】
１  容器本体
６  開口部
１１  扉体
１２  回動軸
１４  ねじりコイルバネ（閉扉手段）
１５  扉体開閉機構
２０  温度制御装置
２４  制御回路
２５  スイッチ
２８  第一の凹部（凹部）
２９  第二の凹部（凹部）
３１  電動機
３２  歯車群
４１  空転機構（過負荷保護機構）
４７  扇状歯車
５３  主制御回路（過電流防止手段）
５８  電源回路
Ｃ，Ｃ１，Ｃ２，Ｃ３，Ｃ４  缶（容器入り飲料）
【図１】
0003826397.tif 000002
【図２】
0003826397.tif 000003
【図３】
0003826397.tif 000004
【図４】
0003826397.tif 000005
【図５】
0003826397.tif 000006
【図６】
0003826397.tif 000007
【図７】
0003826397.tif 000008